(57)【特許請求の範囲】
【請求項１】
照射開口部を形成した器具本体と；少なくともランプおよびこのランプに対向する反射板を含み、器具本体に対して回転可能に支持されて照射方向が可変に設けられた光学系ユニットと；この光学系ユニットが回転駆動するように器具本体あるいは光学系ユニットに設けられた駆動系と；照射データを入力し、このデータに基づいて光学系ユニットの照射方向を設定して駆動系を制御するとともに、メンテナンス信号を入力して光学系ユニットのランプが照射開口部の開口面に略直交する方向に位置するように駆動系を制御する駆動制御部と；を具備している照明装置において、
駆動制御部は、メンテナンスが終了した後、メンテナンス前の照射データの設定に復帰するためのリセット信号を外部の照明制御手段に出力するリセット操作部を備えるとともに、前記リセット信号が入力された照明制御手段から送信されたメンテナンス前の照射データが入力されると駆動系を駆動制御して光学系ユニットをメンテナンス前の設定に復帰させることを特徴とする照明装置。
【請求項２】
天井板に埋設され、下面に照射開口部を形成し、側壁に窓部を形成した器具本体と；少なくともランプおよびこのランプに対向する反射板を含む光学系ユニットと；
この光学系ユニットが垂直方向および水平方向に回転駆動するように器具本体あるいは光学系ユニットに設けられた駆動系と；照射データを入力し、このデータに基づいて光学系ユニットの照射方向を設定して駆動系を制御するとともに、メンテナンス信号を入力して光学系ユニットのランプが器具本体の窓部に臨むように駆動系を制御する駆動制御部と；
を具備していることを特徴とする照明装置。
【請求項３】
照射開口部を形成した器具本体と；少なくともランプおよびこのランプに対向する反射板を含み、器具本体に対して回転可能に支持されて照射方向が可変に設けられた光学系ユニットと；この光学系ユニットが回転駆動するように器具本体あるいは光学系ユニットに設けられた駆動系と；照射データを入力し、このデータに基づいて光学系ユニットの照射方向を設定して駆動系を制御するとともに、メンテナンス信号を入力して光学系ユニットのランプが照射開口部の開口面に略直交する方向に位置するように駆動系を制御する駆動制御部と；を具備している照明装置において、
駆動制御部は、照射データを記憶するメモリおよびリセット操作部を備え、メンテナンス信号が入力されて駆動系を制御した後、リセット操作部が操作されると駆動制御部がメモリに記憶されたメンテナンス前の照射データを読み出して光学系ユニットをメンテナンス信号が入力する前の照射方向へ復帰するように駆動系を制御することを特徴とする照明装置。
【請求項４】
請求項１ないし３いずれか一記載の照明装置と；
所望の照射パターンを設定するための照明データを入力する入力手段と；
メンテナンスモード操作手段と；
入力手段より入力された照明データに基づいて照射データを生成し、メンテナンスモード操作手段の操作によりメンテナンス信号を生成する照明制御手段と；
照明制御手段の照射データおよびメンテナンス信号を上記照明装置へ送信する送信手段と；
を具備していることを特徴とする照明制御システム。
【請求項５】
請求項１記載の照明装置と；
所望の照射パターンを設定するための照明データを入力する入力手段と；
メンテナンスモード操作手段と；
入力手段より入力された照明データに基づいて照射データを生成し、メンテナンスモード操作手段の操作によりメンテナンス信号を生成する照明制御手段と；
照明制御手段の照射データおよびメンテナンス信号を上記照明装置へ送信する送信手段と；
上記照明装置から出力されたリセット信号を入力し、照明制御手段がメンテナンス信号を生成する前の照射データを上記照明装置へ送信手段から送信させるリセット制御手段と；
を具備していることを特徴とする照明制御システム。
【発明の詳細な説明】
【０００１】
【産業上の利用分野】
本発明は、例えばテレビスタジオや劇場の舞台などに配設され、調光および照射方向が遠隔操作によって制御可能な照明装置およびこの照明装置を制御する照明制御システムに関する。
【０００２】
【従来の技術】
この種照明制御システムは、例えば特開平３−２８０３０３号公報に示されている。図４はその照明制御システムを示すブロック図である。61は光の照射方向を自動制御可能な複数の照明装置である。62はコンピュータで、照明装置61の照射方向、配光パターンあるいは調光レベルなどの照明データを入力する入力手段、この照明データにより制御データを生成する演算装置を有している。コンピュータ62と照明装置61とは伝送親器63を介して２線式の伝送ライン64によってデータ伝送可能に接続されている。各照明装置61は、少なくともランプおよび反射板を含む光学系ユニット65を有している。この光学系ユニット65は、照明装置61に設けられた駆動系66によって照射方向が可変となっている。駆動系66は、水平方向の軸を中心として回動させてチルト方向の照射方向を可変させるチルト用モータＭＴと、垂直方向の軸を中心として回動させてパン方向の照射方向を可変させるパン用モータＭＰとからなる。駆動系66は伝送ラインに接続された伝送子器67内の駆動制御部68によって回転駆動制御される。
【０００３】
各照明装置61の照射方向の制御は、コンピュータ62の入力手段69によって行われる。まず、入力手段69から照明データを入力し、この照明データを演算手段によって制御データが生成される。この制御データは、コンピュータ62から伝送ライン64を介して駆動制御部68へ送信され、このデータに基づいて駆動制御部68が駆動系66を制御して光学系ユニット65を回転駆動して照射方向を調整し、所望の配光パターンを得る。
【０００４】
【発明が解決しようとする課題】
照明装置は、光学系ユニットの点検、あるいはランプ交換などのメンテナンスを行う必要がある。
【０００５】
しかしながら、上記従来の照明制御システムは、光学系ユニットの照射方向が設定されたままの状態であるので、照明装置によっては光学系ユニットがメンテナンスが行えない方向に回転したままのものがあるので、コンピュータの入力手段によって照明装置をメンテナンス可能な方向に設定し直さなければならない必要がある。例えば、天井板などに埋込み配設されている照明装置において、天板部下方よりランプの交換を行うものであれば、光学系ユニットの照射方向が直下方向になるように入力コンピュータの入力手段で制御する必要があり、その操作が煩わしい。
【０００６】
また、複数の照明装置の照射方向を制御するシステムであれば、各照明装置の光学系ユニットの照射方向が異なっていると、その照明装置毎に照射方向をメンテナンス可能な方向に制御しなければならず、メンテナンスを行う度にその設定時間が掛かるとともに、入力手段の入力操作も非常に複雑であった。
【０００７】
本発明は、上記問題点を解決するものであって、照射方向が可変である照明装置であっても、ランプ交換などのメンテナンスを容易に行うことができる照明装置および照明制御システムを提供することを目的とする。
【０００８】
【課題を解決するための手段】
請求項１記載の照明装置は、照射開口部を形成した器具本体と；少なくともランプおよびこのランプに対向する反射板を含み、器具本体に対して回転可能に支持されて照射方向が可変に設けられた光学系ユニットと；この光学系ユニットが回転駆動するように器具本体あるいは光学系ユニットに設けられた駆動系と；照射データを入力し、このデータに基づいて光学系ユニットの照射方向を設定して駆動系を制御するとともに、メンテナンス信号を入力して光学系ユニットのランプが照射開口部の開口面に略直交する方向に位置するように駆動系を制御する駆動制御部と；を具備している照明装置において、駆動制御部は、メンテナンスが終了した後、メンテナンス前の照射データの設定に復帰するためのリセット信号を外部の照明制御手段に出力するリセット操作部を備えるとともに、前記リセット信号が入力された照明制御手段から送信されたメンテナンス前の照射データが入力されると駆動系を駆動制御して光学系ユニットをメンテナンス前の設定に復帰させることを特徴とする。
【０００９】
請求項２記載の照明装置は、天井板に埋設され、下面に照射開口部を形成し、側壁に窓部を形成した器具本体と；少なくともランプおよびこのランプに対向する反射板を含む光学系ユニットと；この光学系ユニットが垂直方向および水平方向に回転駆動するように器具本体あるいは光学系ユニットに設けられた駆動系と；照射データを入力し、このデータに基づいて光学系ユニットの照射方向を設定して駆動系を制御するとともに、メンテナンス信号を入力して光学系ユニットのランプが器具本体の窓部に臨むように駆動系を制御する駆動制御部と；を具備していることを特徴とする。
【００１０】
請求項３記載の照明装置は、照射開口部を形成した器具本体と；少なくともランプおよびこのランプに対向する反射板を含み、器具本体に対して回転可能に支持されて照射方向が可変に設けられた光学系ユニットと；この光学系ユニットが回転駆動するように器具本体あるいは光学系ユニットに設けられた駆動系と；照射データを入力し、このデータに基づいて光学系ユニットの照射方向を設定して駆動系を制御するとともに、メンテナンス信号を入力して光学系ユニットのランプが照射開口部の開口面に略直交する方向に位置するように駆動系を制御する駆動制御部と；を具備している照明装置において、駆動制御部は、照射データを記憶するメモリおよびリセット操作部を備え、メンテナンス信号が入力されて駆動系を制御した後、リセット操作部が操作されると駆動制御部がメモリに記憶されたメンテナンス前の照射データを読み出して光学系ユニットをメンテナンス信号が入力する前の照射方向へ復帰するように駆動系を制御することを特徴とする。
【００１１】
請求項４記載の照明制御システムは、請求項１ないし３いずれか一記載の照明装置と；所望の照射パターンを設定するための照明データを入力する入力手段と；メンテナンスモード操作手段と；入力手段より入力された照明データに基づいて照射データを生成し、メンテナンスモード操作手段の操作によりメンテナンス信号を生成する照明制御手段と；照明制御手段の照射データおよびメンテナンス信号を上記照明装置へ送信する送信手段と；を具備していることを特徴とする。
【００１２】
請求項５記載の照明制御システムは、請求項１記載の照明装置と；所望の照射パターンを設定するための照明データを入力する入力手段と；メンテナンスモード操作手段と；入力手段より入力された照明データに基づいて照射データを生成し、メンテナンスモード操作手段の操作によりメンテナンス信号を生成する照明制御手段と；照明制御手段の照射データおよびメンテナンス信号を上記照明装置へ送信する送信手段と；上記照明装置から出力されたリセット信号を入力し、照明制御手段がメンテナンス信号を生成する前の照射データを上記照明装置へ送信手段から送信させるリセット制御手段と；を具備していることを特徴とする。
【００１３】
【作用】
請求項１記載の照明装置は、駆動制御部がメンテナンス信号を入力して光学系ユニットのランプが照射開口部の開口面に略直交する方向となるように駆動系を制御するので、メンテナンス信号を入力するだけでランプ交換などのメンテナンスを照射開口部から行えるように光学系ユニットの照射方向が設定される。
【００１４】
また、駆動制御部がリセット操作部を備え、リセット操作部の操作によりリセット信号を出力するので、照明制御手段側へメンテナンス終了のデータを入力でき、照明制御手段側でメンテナンス終了の確認ができる。
【００１５】
請求項２記載の照明装置は、駆動制御部がメンテナンス信号を入力して光学系ユニットのランプが器具本体の窓部に臨むように駆動系を制御するので、メンテナンス信号を入力するだけでランプ交換などのメンテナンスを器具本体の窓部から行えるように光学系ユニットの照射方向が設定される。
【００１６】
請求項３記載の照明装置は、駆動制御部がメンテナンス信号を入力して光学系ユニットのランプが照射開口部の開口面に略直交する方向となるように駆動系を制御するので、メンテナンス信号を入力するだけでランプ交換などのメンテナンスを照射開口部から行えるように光学系ユニットの照射方向が設定される。
【００１７】
また、駆動制御部が照射データを記憶するメモリおよびリセット操作部を備え、リセット操作部の操作によりメンテナンス信号を入力する前の照射方向へ復帰するように駆動系を制御するので、メンテナンス終了後、リセット操作部のみの操作により光学系ユニットの照射方向の設定をメンテナンス前の設定に復帰することができる。
【００１８】
請求項４記載の照明制御システムは、メンテナンスモード操作手段の操作によりメンテナンス信号を照射方向が可変に設けられた光学系ユニットを有した複数の照明装置へ送信するので、複数の照明装置の光学系ユニットの照射方向が一括してメンテナンス可能な方向へ設定できる。
【００１９】
請求項５記載の照明制御システムは、リセット制御手段が照明装置から出力されたリセット信号を入力し、照明制御手段がメンテナンス信号を生成する前の照射データを上記照明装置へ送信手段から送信させるので、リセット操作部のみの操作により光学系ユニットの照射方向の設定をメンテナンス前の設定に復帰させることができる。
【００２０】
【実施例】
本発明の一実施例の照明装置の構成を図面について説明する。
【００２１】
第１図は本実施例の照明装置１の断面図で、Ａは例えば音響反射板にて形成された天井板である。10はこの天井板Ａ内に埋設される照明装置の器具本体で、この器具本体10は下面に照射開口部11を開口した略円筒状の本体筐体部12の両側にそれぞれ設けられた駆動系筐体部13，14とにて形成され、この両側の駆動系筐体部13，14は本体筐体部12の下端照射開口部11より上側に位置して取付けられている。
【００２２】
前記本体筐体部12内には、光学系ユニット15が回転自在に配設されている。この光学系ユニット15は少なくとも、支持枠16の上部に支持されたランプ17とこのランプ17を内包しこのランプ17から放射される光を前記照射開口部11に向けて制御するようにこのランプ17に対向された反射板18とを有し、この支持枠16は両側に水平方向に延びる回転軸部19，20を軸心としてチルト方向に回転されるようになっている。
【００２３】
前記一方の駆動系筐体部13内には前記光学系ユニット15を回転駆動させる駆動系21が配設され、この駆動系21には前記一方の回転軸部19にホイールギヤ23が取付けられ、このギヤ23に噛合うウォームギヤがステッピングモータの駆動軸に取付けられている。また、前記他方の駆動系筐体部14内には前記光学系ユニット15の他方の回転軸部20の軸受け部25が設けられている。また、この駆動系筐体部14内には駆動制御部、一方の駆動系筐体部には13に配設された駆動系21と重量バランスを保持する部品、例えば、重錘、または電源電池、予備モータなどが配設されている。すなわち、駆動制御、電源電池、予備モータなどが配設されている。すなわち、駆動制御部、電源電池、予備モータなどの部品は前記駆動系21と重量バランスを保持するように配置されている。
【００２４】
なお、前記器具本体10の略円筒状の本体筐体部12は上部に通気孔27が形成され、また本体筐体部12の外面には細長の板を断面コ字状に折曲した補強金具28が固着されている。
【００２５】
前記本体筐体部12の上面中央部には垂直方向の回転軸部30の下端が固着され、この回転軸部30が器具本体10の駆動系31を形成するステッピングモータ32の駆動軸に歯車駆動機構40を介して結合されている。そして、この駆動系31は前記天井板Ａに取付けられている支持枠34に支持された駆動系筐体35内に設けられ、この駆動系筐体35の下側に前記回転軸部30を介して前記器具本体10が吊下げ支持されている。
【００２６】
また、前記器具本体10の照射開口部11の外径よりこの器具本体10の照射開口部11を嵌合する天井板Ａの嵌合孔36の内径を大きくしてこの照射開口部11の外周と天井板Ａに形成された嵌合孔36との間に間隙37が形成されるようになっている。そして、この器具本体10の照射開口部11の下端は前記天井板Ａの下面より突出されることがないように取付けられている。
【００２７】
なお、第１図中、39は前記ランプ17を装着するランプソケット38とステッピングモータ24および駆動制御部に接続したコードである。
【００２８】
41は駆動制御部で、ＣＰＵなどで構成され、メモリ42を有している。駆動制御部41にはリセット操作部43が取付けられ、駆動系筐体部14の下面からリセット操作部43のリセットボタンが突出するように配設されている。このリセット操作部43のリセットボタンを操作すると、リセット信号が駆動制御部41から後述の照明制御手段側へ出力される。
【００２９】
第２図は、第１図の器具本体10の断面方向に直交する方向の断面図であり、光学系ユニット15の照射方向が水平方向に設定されている場合を示している。44は器具本体10の側壁部に形成された窓部で、この窓部44から器具本体10内が臨めるように器具本体10の側壁部が貫通している。窓部44は通常時には蓋体45にて閉塞されており、器具本体10の側壁部にヒンジ体を介して開閉自在に軸支されている。
【００３０】
第３図は、上記実施例の照明装置を複数用いた照明制御システムのブロック図である。50はコンピュータで、所望の照射パターンを設定するための照明データを入力する入力手段51と、メンテナンスモード操作手段52と、入力手段51より入力された照明データに基づいて照射データを生成し、メンテナンスモード操作手段52の操作によりメンテナンス信号を生成する照明制御手段53と、照明制御手段53の照射データおよびメンテナンス信号を複数の照明装置１へ送信する送信手段54とを有している。ここで、入力手段51とメンテナンスモード操作手段53はキーボードなどによって兼用され、入力手段51から入力される照明データは配光パターン、各照明装置の照射方向、あるいは調光レベルなどである。
【００３１】
照明制御手段53は、この照明データから各照明装置１に対して照射方向などの制御情報を照射データとして生成し、送信手段54により送信させるとともに、この照射データをメモリ55に順次書き込んでゆく。56はリセット制御手段で、各照明装置１のリセット操作部43の操作により駆動制御部41から出力されたリセット信号を入力し、照明制御手段53がメンテナンス信号を生成する前の照射データをメモリ55から読みだし、リセット信号を出力した照明装置１へ読みだした照射データを送信手段から送信させる。57はＣＲＴディスプレイなどの表示装置で、配光パターン内容、照明データなどをグラフィック表示する。
【００３２】
コンピュータ50と照明装置１とは２線式の伝送線58によって接続され、照射装置１はこの伝送線58に接続された伝送子器59を介して照射データ、メンテナンス信号あるいはリセット信号の入出力を行う。
【００３３】
次に、本実施例の作用について説明する。
【００３４】
所望の配光パターンを得るために、照明制御システムを操作するときには、入力手段51から照明データを入力する。すると、この照明データから照明制御手段52にて各照明装置１に対する制御情報を照射データとして生成し、この照射データをメモリ57に書き込むとともに、送信手段54により照明装置１へ送信する。駆動制御部41はこの照射データを伝送子器59を介して入力し、メモリ42に書き込むとともに、照射データに基づいて駆動系21，31を駆動制御する。この駆動系21，31の制御により、光学系ユニット15が水平、垂直方向に回転駆動され、照射方向が設定される。
【００３５】
光学系ユニット15のメンテナンスを行うときには、メンテナンスモード操作手段52を操作する。するとメンテナンス信号が照明制御手段53で生成され、照明装置１へ送信される。駆動制御部41は、このメンテナンス信号を入力すると、光学系ユニット15がメンテナンス可能な照射方向となるように駆動部21，31を駆動制御する。つまり、光学系ユニット15を照射開口部11よりメンテナンスするような照明装置の場合には、光学系ユニット15の照射方向が照射開口部11の開口面に略直交する方向に設定されるように駆動制御し、光学系ユニット15を天井板Ａの内部からメンテナンスするような照明装置の場合には、第２図に示されるように光学系ユニット15のランプ17が窓部44に臨むように駆動制御する。そして、光学系ユニット15のランプ交換、点検が作業しやすい設定で行うことができる。このように、メンテナンスモード操作手段52を操作するのみで照明装置１をメンテナンスを行いやすい設定にすることが可能となり、メンテナンス作業の効率が向上する。なお、各照明装置１の伝送子器59にアドレスを設定し、メンテナンスモード操作手段52の操作をこのアドレス毎に行うことで、照明装置１個々にメンテナンスモードに制御することが可能である。
【００３６】
光学系ユニット15のメンテナンスが終了するとリセット操作部43を操作することで、駆動制御部41からリセット信号が出力され、照明制御手段53が入力する。照明制御手段53は、このリセット信号の入力によってメンテナンス信号を生成する前の照射データをメモリ55から読みだし、リセット信号を出力した照明装置１へ読みだした照射データを送信させる。この照射データを駆動制御部41が入力することによって光学系ユニット15は駆動制御され、メンテナンス前の設定に復帰することができる。
【００３７】
また、リセット操作部43を操作することで、駆動制御部41内のメモリ42に書き込まれた照射データを読みだし、光学系ユニット15をメンテナンス前の設定に復帰することもできる。
【００３８】
【発明の効果】
請求項１記載の照明装置は、駆動制御部がメンテナンス信号を入力して光学系ユニットのランプが照射開口部の開口面に略直交する方向となるように駆動系を制御するので、メンテナンス信号を入力するだけでランプ交換などのメンテナンスを照射開口部から行えるように光学系ユニットの照射方向が設定され、メンテナンス作業の効率が向上する。
【００３９】
また、駆動制御部がリセット操作部を備え、リセット操作部の操作によりリセット信号を出力するので、照明制御手段側へメンテナンス終了のデータを入力でき、照明制御手段側でメンテナンス終了の確認ができる。
【００４０】
請求項２記載の照明装置は、駆動制御部がメンテナンス信号を入力して光学系ユニットのランプが器具本体の窓部に臨むように駆動系を制御するので、メンテナンス信号を入力するだけでランプ交換などのメンテナンスを器具本体の窓部から行えるように光学系ユニットの照射方向が設定され、メンテナンス作業の効率が向上する。
【００４１】
請求項３記載の照明装置は、駆動制御部がメンテナンス信号を入力して光学系ユニットのランプが照射開口部の開口面に略直交する方向となるように駆動系を制御するので、メンテナンス信号を入力するだけでランプ交換などのメンテナンスを照射開口部から行えるように光学系ユニットの照射方向が設定され、メンテナンス作業の効率が向上する。
【００４２】
また、駆動制御部が照射データを記憶するメモリおよびリセット操作部を備え、リセット操作部の操作によりメンテナンス信号を入力する前の照射方向へ復帰するように駆動系を制御するので、メンテナンス終了後、リセット操作部のみの操作により光学系ユニットの照射方向の設定をメンテナンス前の設定に復帰することができ、メンテナンス後の照明装置の調整が簡単になる。
【００４３】
請求項４記載の照明制御システムは、メンテナンスモード操作手段の操作によりメンテナンス信号を照射方向が可変に設けられた光学系ユニットを有した複数の照明装置へ送信するので、複数の照明装置の光学系ユニットの照射方向が一括してメンテナンス可能な方向へ設定でき、メンテナンス作業の効率が向上する。
【００４４】
請求項５記載の照明制御システムは、リセット制御手段が照明装置から出力されたリセット信号を入力し、照明制御手段がメンテナンス信号を生成する前の照射データを上記照明装置へ送信手段から送信させるので、リセット操作部のみの操作により光学系ユニットの照射方向の設定をメンテナンス前の設定に復帰させることができ、メンテナンス後の照明装置の調整が簡単になる。
【図面の簡単な説明】
【図１】本発明の一実施例の照明装置の断面図。
【図２】図１の断面方向に直交した断面方向の断面図。
【図３】本発明の一実施例の照明制御システムのブロック図。
【図４】従来例の照明制御システムのブロック図。
【符号の説明】
１・・・照明装置、10・・・器具本体、11・・・照射開口部、15・・・光学系ユニット、17・・・ランプ、18・・・反射板、21，31・・・駆動系、41・・・駆動制御部、42・・・メモリ、43・・・リセット操作部、44・・・窓部、51・・・入力手段、52・・・メンテナンスモード操作手段、53・・・照明制御手段、54・・・送信手段、56・・・リセット制御手段。
【図１】
0003885895.tif 000002
【図２】
0003885895.tif 000003
【図３】
0003885895.tif 000004
【図４】
0003885895.tif 000005